(57)【特許請求の範囲】
【請求項１】
弦楽器の弦と胴との間に挟持される駒に取り付けられて、前記弦の機械的な振動を電気信号に変換するコンタクトマイクロホンであって、
複数の筐体を備え、
前記複数の筐体のそれぞれは、
前記振動に応じた電気信号を生成する振動センサと、
前記駒に当接される複数の押圧子と、
を備え、
前記各筐体が備える前記複数の押圧子は、前記各筐体で共通の共通押圧子と、前記各筐体に固有の固有押圧子と、である、
ことを特徴とするコンタクトマイクロホン。
【請求項２】
前記筐体が備える前記複数の押圧子のそれぞれは、前記筐体に突設される前記各押圧子に対応する支持アームの先端に設けられ、
前記共通押圧子は、前記支持アームに対して移動不可能に設けられ、
前記固有押圧子は、前記支持アームに対して移動可能に設けられる、
請求項１記載のコンタクトマイクロホン。
【請求項３】
前記筐体が備える前記複数の押圧子のそれぞれは、前記筐体に突設される前記各押圧子に対応する支持アームの先端に設けられ、
前記共通押圧子は、前記支持アームに対して移動可能に設けられ、
前記固有押圧子は、前記支持アームに対して移動不可能に設けられる、
請求項１記載のコンタクトマイクロホン。
【請求項４】
前記筐体が備える前記複数の押圧子のそれぞれは、前記筐体に突設される前記各押圧子に対応する支持アームの先端に設けられ、
前記共通押圧子は、前記支持アームに対して移動可能に設けられ、
前記固有押圧子は、前記支持アームに対して移動可能に設けられる、
請求項１記載のコンタクトマイクロホン。
【請求項５】
前記支持アームは、雄ネジ軸で、
前記支持アームに対して移動可能に設けられる押圧子は、上記雄ネジ軸に螺合する雌ネジを有するアジャストナットに回転可能に支持される、
請求項２乃至４のいずれかに記載のコンタクトマイクロホン。
【請求項６】
前記共通押圧子が設けられる支持アームと前記固有押圧子が設けられる支持アームとは、前記筐体に同軸上に突設される、
請求項２乃至５のいずれかに記載のコンタクトマイクロホン。
【請求項７】
前記筐体の数と、前記駒が備える脚部の数とは、同一である、
請求項１乃至６のいずれかに記載のコンタクトマイクロホン。
【請求項８】
前記複数の筐体のそれぞれは、前記複数の脚部のそれぞれに対応し、
前記各筐体が備える前記固有押圧子は、前記複数の脚部のうち対応する脚部に当接する、
請求項７記載のコンタクトマイクロホン。
【請求項９】
前記固有押圧子は、前記脚部のうち前記胴の表板の付近に当接する、
請求項７または８記載のコンタクトマイクロホン。
【請求項１０】
前記各筐体が備える押圧子の数と、前記駒が備える脚部の数とは、同一である、
請求項１乃至９のいずれかに記載のコンタクトマイクロホン。
【発明の詳細な説明】
【技術分野】
【０００１】
本発明は、弦楽器の弦の機械的な振動を電気信号に変換するコンタクトマイクロホンに関する。
【背景技術】
【０００２】
コントラバスなどの弦楽器の弦の機械的な振動を電気信号に変換するコンタクトマイクロホン（振動ピックアップ）には、複雑な電子回路が不要な圧電素子が用いられることが多い。圧電素子を用いたコンタクトマイクロホンには、加速度を検出するタイプと、力を検出するタイプとがある。力を検出するタイプのコンタクトマイクロホンは、弦楽器の一部に挟み込むなどして取り付けられ、取り付けられた箇所に対する弦の振動による圧力の変化を電気信号に変換する。
【０００３】
これまでにも、弦楽器の駒（ブリッジ）に取り付けて使用するコンタクトマイクロホンが提案されている（例えば、特許文献１参照）。
【０００４】
図６は、駒に取り付けられた従来のコンタクトマイクロホンを示す正面図である。
コンタクトマイクロホンは箱型の筐体５０を備える。筐体５０内には、筐体５０の振動に応じた電気信号を生成する振動センサが内蔵される。筐体５０内の振動センサが生成した電気信号は、出力ケーブル５５からコンタクトマイクロホンの外部に出力される。
【０００５】
筐体５０の対向する両側面には、棒状の支持アーム５３，５４が同軸上、つまり、直線状に突設される。
【０００６】
支持アーム５３，５４の一端は筐体５０に固定される。支持アーム５３，５４の他端には、押圧子５１，５２が取り付けられる。支持アーム５３，５４は雄ネジ軸である。押圧子５１，５２は、支持アーム５３，５４の雄ネジ軸に螺合する雌ネジを有するアジャストナットに回転可能に支持される。押圧子５１，５２は、支持アーム５３，５４に対して回転することで、支持アーム５３，５４に対して移動可能に設けられる。つまり、押圧子５１，５２と筐体５０との距離は可変である。
【０００７】
コンタクトマイクロホンは、押圧子５１，５２が駒１３の脚部１３ｂ，１３ｃの内面に接触するように配置される。すなわち、例えば、押圧子５２が脚部１３ｃの内面に接触した状態で、押圧子５１は支持アーム５３に対して回転し、筐体５０から離れる方向に移動する。押圧子５１はこの回転と移動により、脚部１３ｂの内面に接触する。
【０００８】
このように、コンタクトマイクロホンは、一方の押圧子を脚部１３ｂ，１３ｃの内面に接触させた状態で他方の押圧子を回転させて、２つの押圧子５１，５２が脚部１３ｂ，１３ｃの内面に押し付けられることで、駒１３に取り付けられる。
【０００９】
コンタクトマイクロホンが駒１３に取り付けられた状態で頂部１３ａの表面に当接する弦１２が弾かれると、弦１２の振動が頂部１３ａから脚部１３ｂ，１３ｃに伝達される。
【００１０】
筐体５０内の振動センサは、押圧子５１，５２および支持アーム５３，５４を介して、脚部１３ｂ，１３ｃを伝達した振動（圧力変化）を検出して、その振動に応じた電気信号を生成する。筐体５０内の振動センサが生成した電気信号は、出力ケーブル５５を介して、コンタクトマイクロホンの外部の信号処理装置に出力される。信号処理装置がスピーカであれば、信号処理装置は、コンタクトマイクロホンからの信号を処理して、弦１２の機械的な振動に応じた音を出力する。
【先行技術文献】
【特許文献】
【００１１】
【特許文献１】特許第５４６４９１６号明細書
【発明の概要】
【発明が解決しようとする課題】
【００１２】
弦楽器の内部にはバスバーや塊柱が配置されており、外部に音を放出する上で前記駒と密接に関わっている。しかし、前述の従来のコンタクトマイクロホンは、駒１３に取り付けられたままで、駒１３の複数の脚部１３ｂ，１３ｃそれぞれの振動のバランスを変更して出力される音の音質を変更することができない。すなわち、従来のコンタクトマイクロホンは、バスバーや塊柱との位置関係によって変わる振動を効率的に検出することができない。
【００１３】
本発明は、以上のような従来技術の問題点を解消するためになされたもので、駒に取り付けられたままで、検知される駒の各脚部の振動のバランスを変更して出力される音の音質を変更することができるコンタクトマイクロホンを提供することを目的とする。
【課題を解決するための手段】
【００１４】
本発明は、弦楽器の弦と胴との間に挟持される駒に取り付けられて、弦の機械的な振動を電気信号に変換するコンタクトマイクロホンであって、複数の筐体を備え、複数の筐体のそれぞれは、振動に応じた電気信号を生成する振動センサと、駒に当接される複数の押圧子と、を備え、各筐体が備える複数の押圧子は、各筐体で共通の共通押圧子と、各筐体に固有の固有押圧子と、であることを特徴とする。
【発明の効果】
【００１５】
本発明によれば、駒に取り付けられたままで、検知される駒の各脚部の振動のバランスを変更して出力される音の音質を変更することができる。
【図面の簡単な説明】
【００１６】
【図１】本発明にかかるコンタクトマイクロホンが取り付けられた弦楽器の斜視図である。
【図２】上記コンタクトマイクロホンが取り付けられる弦楽器の駒の正面図である。
【図３】上記弦楽器の胴の内部に配置されるバスバーや魂柱と、上記駒と、の配置関係を示す模式図である。
【図４】上記コンタクトマイクロホンの実施の形態を示す正面図である。
【図５】上記駒に取り付けられた上記コンタクトマイクロホンの正面図である。
【図６】上記駒に取り付けられた従来のコンタクトマイクロホンの正面図である。
【発明を実施するための形態】
【００１７】
以下、図面を参照しながら、本発明にかかるコンタクトマイクロホンの実施の形態について説明する。
【００１８】
図１は、本発明にかかるコンタクトマイクロホンが取り付けられた弦楽器の斜視図である。弦楽器１０は、例えば、コントラバスである。
【００１９】
弦楽器１０の木製の胴（共鳴胴）１１の先端側に、木製のネック１４が取り付けられる。ネック１４の先端のベグボックス１６には、４本の糸巻１５（２本は不図示）が取り付けられる。糸巻１５のそれぞれには、ガットあるいはスチール製の弦１２の一端部が巻き付けられる。胴１１の後端側には、弦１２の他端側が係止される木製のテールピース１７が取り付けられる。
【００２０】
なお、前述した弦楽器１０を構成する各部材の材質は、一例である。
【００２１】
ネック１４とテールピース１７との間の胴１１の表板の表面上において、駒１３が胴１１と弦１２との間に取り外し可能に挟持される。駒１３は、楓材などで作られる板状の部材である。駒１３は、弦１２の振動を胴１１に伝達する。駒１３には、後述するように、本発明にかかるコンタクトマイクロホン１が取り付けられる。
【００２２】
図２は、駒１３のテールピース１７側から見た正面図である。
駒１３は、頂部１３ａと、頂部１３ａから二股状に形成される脚部１３ｂ、１３ｃを備える。頂部１３ａの表面（紙面上側の面）には、４本の弦１２の一部が載置される。脚部１３ｂ、１３ｃの裏面は、胴１１の表板の表面に当接する。
【００２３】
図３は、バスバー１１ｂや魂柱１１ｃと、駒１３と、の配置関係を示す模式図である。バスバー１１ｂや塊柱１１ｃは胴１１の内部、つまり、胴１１の表板１１ａと裏板（不図示）と側板（不図示）で形成される空間内に配置される。駒１３とバスバー１１ｂと魂柱１１ｃとは、擦弦時の弦１２の横方向（紙面左右方向）の振動を縦方向（紙面上下方向）の振動に変換して表板１１ａを振動させる。
【００２４】
脚部１３ｂと脚部１３ｃとは、頂部１３ａからの振動を胴１１に伝達する。ただし、表板１１ａの裏側にバスバー１１ｂと魂柱１１ｃとが配置されているため、脚部１３ｂと脚部１３ｃとが、同じように振動するとは限らない。
【００２５】
図４は、本発明にかかるコンタクトマイクロホンの実施の形態を示す正面図である。
コンタクトマイクロホン１は、箱型の筐体２，３を備える。筐体２，３内には、筐体２，３の振動に応じた電気信号を生成する振動センサが内蔵される。振動センサは、例えば、圧電素子で構成される。筐体２，３内の振動センサによって生成された電気信号は、出力ケーブル２４，３４からコンタクトマイクロホン１の外部に出力される。
【００２６】
筐体２の対向する両側面には、棒状の支持アーム２２，２３が同軸上、つまり、直線状に突設される。出力ケーブル２４は、筐体２の側面のうち、支持アーム２２，２３が突設される側面以外の側面に設けられる。
【００２７】
支持アーム２２の一端は、筐体２に固定される。支持アーム２２の他端には固有押圧子２１が取り付けられる。支持アーム２２は雄ネジ軸である。固有押圧子２１は、支持アーム２２の雄ネジ軸に螺合する雌ネジを有するアジャストナットに回転可能に支持される。固有押圧子２１は、支持アーム２２に対して回転させることで、支持アーム２２に対して移動可能に設けられる。つまり、固有押圧子２１と筐体２との距離は可変である。
【００２８】
支持アーム２３の一端は筐体２に固定される。支持アーム２３の他端は共通押圧子４１に固定される。共通押圧子４１は支持アーム２３に対して移動不可能に設けられる。つまり、共通押圧子４１と筐体２との距離は固定である。
【００２９】
筐体３の対向する両側面には、棒状の支持アーム３２，３３が同軸上、つまり、直線状に突設される。出力ケーブル３４は、筐体３の側面のうち、支持アーム３２，３３が突設される側面以外の側面に設けられる。
【００３０】
支持アーム３２の一端は筐体３に固定される。支持アーム３２の他端には固有押圧子３１が取り付けられる。支持アーム３２は雄ネジ軸である。固有押圧子３１は、支持アーム３２の雄ネジ軸に螺合する雌ネジを有するアジャストナットに回転可能に支持される。固有押圧子３１は、支持アーム３２に対して回転させることで、支持アーム３２に対して移動可能に設けられる。つまり、固有押圧子３１と筐体３との距離は可変である。
【００３１】
支持アーム３３の一端は筐体３に固定される。支持アーム３３の他端は共通押圧子４１に固定される。共通押圧子４１は支持アーム３３に対して移動不可能に設けられる。つまり、共通押圧子４１と筐体３との距離は、固定である。
【００３２】
このように、固有押圧子２１は筐体２の固有の押圧子である。固有押圧子３１は筐体３の固有の押圧子である。共通押圧子４１は筐体２，３で共通の押圧子である。
【００３３】
次に、コンタクトマイクロホン１の駒１３に取り付ける方法を説明する。
【００３４】
コンタクトマイクロホン１は、予め固有押圧子２１と固有押圧子３１を回転させて、支持アーム２２と支持アーム３２とを短めにした上で、固有押圧子２１，３１と共通押圧子４１とを脚部１３ｂ，１３ｃの内面に接触させて、取り付けられる。
【００３５】
図５は駒１３に取り付けられたコンタクトマイクロホン１の正面図である。
コンタクトマイクロホン１は、共通押圧子４１が脚部１３ｂ，１３ｃの内面のうち、頂部１３ａとの接続部分の内面に接触するように配置される。
【００３６】
次いで、固有押圧子２１は支持アーム２２に対して回転することで、筐体２から離れる方向に移動する。すなわち、支持アーム２２は、筐体２から延伸する。その結果、固有押圧子２１は、脚部１３ｂの内面のうち、胴１１の表板の表面付近（脚部１３ｂの紙面下端付近）の内面に接触する。
【００３７】
同様に、固有押圧子３１は支持アーム３２に対して回転することで、筐体３から離れる方向に移動する。その結果、固有押圧子３１は、脚部１３ｃの内面のうち、胴１１の表板の表面付近（脚部１３ｃの紙面下端付近）の内面に接触する。
【００３８】
このように、コンタクトマイクロホン１は、共通押圧子４１を脚部１３ｂ，１３ｃの内面に接触させた状態で固有押圧子２１，３１を回転させて、支持アーム２２，３２の長さを延ばし、固有押圧子２１，３１が脚部１３ｂ，１３ｃの内面に押し付けられることで駒１３に取り付けられる。
【００３９】
コンタクトマイクロホン１が駒１３に取り付けられた状態で頂部１３ａの表面に当接する弦１２が弾かれると、弦１２の振動が頂部１３ａから脚部１３ｂ，１３ｃに伝達される。
【００４０】
弦１２の振動が頂部１３ａから脚部１３ｂに伝達されると、筐体２内の振動センサは、固有押圧子２１と共通押圧子４１および支持アーム２２，２３を介して、伝達される振動（圧力変化）を検出して、その振動に応じた電気信号を生成する。筐体２内の振動センサによって生成された電気信号は、出力ケーブル２４を介して、コンタクトマイクロホン１の外部の信号処理装置に出力される。
【００４１】
同様に、弦１２の振動が頂部１３ａから脚部１３ｃに伝達されると、筐体３内の振動センサは、固有押圧子３１と共通押圧子４１および支持アーム３２，３３を介して、伝達される振動（圧力変化）を検出して、その振動に応じた電気信号を生成する。筐体３内の振動センサによって生成された電気信号は、出力ケーブル３４を介して、コンタクトマイクロホン１の外部の信号処理装置に出力される。
【００４２】
出力ケーブル２４，３４からの電気信号が入力される信号処理装置は、出力ケーブル２４からの電気信号と出力ケーブル３４からの電気信号とを混合して混合信号を生成して、スピーカなどの音声出力装置に出力する。信号処理装置は、各出力ケーブルからの電気信号の混合比などを変更して、音声出力装置から出力される音質を変更する。すなわち、例えば、信号処理装置は各出力ケーブルからの電気信号の混合比を変更するための操作部を備え、弦楽器１０の演奏者や音響技術者などが操作部を操作することで、演奏者などの好みの音質の音や、レコーディングなど状況に合わせた音質の音を音声出力装置から出力させることができる。
【００４３】
以上説明した実施の形態によれば、コンタクトマイクロホン１は、弦１２が振動したときに、脚部１３ｂに伝達された振動と、脚部１３ｃに伝達された振動とを、別々に検知して電気信号に変換して出力する。すなわち、コンタクトマイクロホン１がミキサーなどの信号処理装置と組み合わせて用いられることで、コンタクトマイクロホン１が駒１３に取り付けられたまま、音声出力装置から出力される音の音質が電気的に変更可能となる。
【００４４】
なお、以上説明した実施の形態は、共通押圧子４１は支持アーム２３，３３に対して移動不可能に設けられ、固有押圧子２１，３１は支持アーム２２，３２に対して移動可能に設けられているが、本発明にかかるコンタクトマイクロホンはこれに限らない。すなわち、共通押圧子４１は支持アーム２３，３３に対して移動可能に設けられ、固有押圧子２１，３１は支持アーム２２，３２に対して移動不可能に設けられていてもよい。あるいは、共通押圧子４１は支持アーム２３，３３に対して移動可能に設けられ、固有押圧子２１，３１も支持アーム２２，３２に対して移動可能に設けられていてもよい。
【００４５】
また、以上説明した実施の形態において、脚部１３ｂ，１３ｃの内面のうち、共通押圧子４１が接触する場所は、脚部１３ｂ，１３ｃと頂部１３ａとの接続部分であった。つまり、共通押圧子４１から固有押圧子２１までの距離と、共通押圧子４１から固有押圧子３１までの距離と、は略等しかった。しかし、本発明にかかるコンタクトマイクロホンの駒１３への取り付け位置はこれに限らない。すなわち、脚部１３ｂ，１３ｃの内面のうち、共通押圧子４１から固有押圧子２１までの距離と、共通押圧子４１から固有押圧子３１までの距離と、が異なる位置に、共通押圧子４１を接触させてコンタクトマイクロホン１は駒１３に取り付けられてもよい。
【００４６】
さらに、以上説明した実施の形態において、筐体２，３のそれぞれには、２本の支持アームが設けられていた。つまり、各筐体は、固有押圧子と共通押圧子の２つの押圧子を備えるが、本発明にかかるコンタクトマイクロホンはこれに限らない。すなわち、例えば、各筐体が２つの固有押圧子と１つの共通押圧子とを備えてもよい。また、各筐体が備える押圧子の数は同数でなくてもよい。すなわち、例えば、１つの固有押圧子と１つの共通押圧子の２つの押圧子を備える筐体と、２つの固有押圧子と１つの共通押圧子の３つの押圧子を備える筐体と、を備えるコンタクトマイクロホンでもよい。また、各筐体が備える共通の押圧子の数は１に限らず、２以上であってもよい。
【００４７】
さらにまた、以上説明した実施の形態は、駒に設けられた脚部の数と、筐体の数と、はいずれも「２」で同一であったが、本発明にかかるコンタクトマイクロホンはこれに限らない。すなわち、例えば、駒の脚部の数が３で、この駒に取り付けられるコンタクトマイクロホンが備える筐体の数が２であってもよい。
【符号の説明】
【００４８】
１    コンタクトマイクロホン
１０    弦楽器
１１    胴
１２    弦
１３    駒
１３ａ  駒の頂部
１３ｂ  駒の脚部
１３ｃ  駒の脚部
２    筐体
２１    固有押圧子
２２    支持アーム
２３    支持アーム
２４    出力ケーブル
３    筐体
３１    固有押圧子
３２    支持アーム
３３    支持アーム
３４    出力ケーブル
４１    共通押圧子
【図１】
0006404145.tif 000002
【図２】
0006404145.tif 000003
【図３】
0006404145.tif 000004
【図４】
0006404145.tif 000005
【図５】
0006404145.tif 000006
【図６】
0006404145.tif 000007